(57)【要約】  【課題】印刷面の印刷外観及び印刷耐久性に優れ、印刷面の汚染がなく、サンプリング作業が容易であり、トレーサビリティシステムに好適なサンプル保管用シート及びサンプル保管方法の提供。  【解決手段】ポリオレフィンを主成分とするシートＡ（１）の片面に粘着剤層（２）を形成し、該粘着剤層（２）の粘着面のサンプル保持領域に剥離ライナー（４）を積層し、該粘着面の残りの領域にシートＢ（３）の端部（３ａ）を固定し、該シートＢ（３）が前記固定した端部（３ａ）を軸とするヒンジ動作で前記剥離ライナー（４）上を開閉自在に被覆するよう構成した、サンプル保管用シート。当該サンプル保管用シートの剥離ライナー（４）を剥がして粘着面を露出し、該粘着面上にサンプルを保持し、該サンプル上にシートＢ（３）を被覆し、サンプルの周囲の粘着面とシートＢ（３）とを貼り合わせてサンプルを閉じ込めるサンプル保管方法。  【選択図】図１
2005189123.tif 000002
【特許請求の範囲】
【請求項１】
ポリオレフィンを主成分とするシートＡの片面に粘着剤層を形成し、
該粘着剤層の粘着面のサンプル保持領域に剥離ライナーを積層し、
該粘着面の残りの領域にシートＢの端部を固定し、
該シートＢが前記固定した端部を軸とするヒンジ動作で前記剥離ライナー上を開閉自在に被覆するよう構成した、サンプル保管用シート。
【請求項２】
シートＡが白色である、請求項１記載のサンプル保管用シート。
【請求項３】
シートＢが透明または半透明である、請求項２記載のサンプル保管用シート。
【請求項４】
シートＡの粘着剤層を形成した面の少なくとも一部の領域が不透明化した、請求項１記載のサンプル保管用シート。
【請求項５】
シートＡが透明または半透明であり、シートＢが不透明である、請求項１記載のサンプル保管用シート。
【請求項６】
シートＡが透明または半透明であり、シートＢの片面または両面の少なくとも一部の領域が不透明化した、請求項１記載のサンプル保管用シート。
【請求項７】
シートＡの粘着剤層を形成した面と反対の面にポリオレフィンを主成分とするインクを用いて印刷した、請求項１〜６のいずれかに記載のサンプル保管用シート。
【請求項８】
印刷が熱転写印刷である、請求項７記載のサンプル保管用シート。
【請求項９】
当該サンプル保管用シートが連続的に繋がっており、各隣り合うサンプル保管用シートの間にミシン目線が設けられた、請求項１〜８のいずれかに記載のサンプル保管用シート。
【請求項１０】
トレーサビリティシステム用である、請求項１〜９のいずれかに記載のサンプル保管用シート。
【請求項１１】
請求項１〜１０のいずれかに記載のサンプル保管用シートの剥離ライナーを剥がして粘着面を露出する工程、
該粘着面上にサンプルを保持する工程、および、
該サンプル上にシートＢを被覆し、サンプルの周囲の粘着面とシートＢとを貼り合わせることによりサンプルを閉じ込める工程を含む、サンプル保管方法。
【発明の詳細な説明】
【技術分野】
【０００１】
本発明は、トレーサビリティシステムに用いることができるサンプル保管用シート及びサンプル保管方法に関する。
【背景技術】
【０００２】
食品の安全性や品質を管理するため、食品の生産、流通等の履歴を追跡できるシステム、いわゆるトレーサビリティシステムが用いられる。狂牛病対策に用いられるトレーサビリティシステムとしては、牛肉の流通前に肉片サンプルを由来動物の識別番号等を付して保管し、事後に該サンプルをＤＮＡ鑑定の照合用に用いて同一性を確認することで、牛肉の生産、流通等の履歴を追跡できるシステムが例示される。
【０００３】
肉片サンプルの保管のためのサンプルホルダーとしては、特許文献１に、紙である基礎シートの上に透明なポリプロピレン膜であるカバーシートがヒンジ動作で固定され、該カバーシートの基礎シートに対向する面に粘着剤を介して裏貼シートが取り外し可能に固定された構成のものが開示されている。該サンプルホルダーは、使用に際して、カバーシートの裏貼シートを剥がして粘着剤を露出し、サンプルを置いた基礎シート上にカバーシートを接着してサンプルを閉じ込めるものである。また、該サンプルホルダーは、基礎シートのサンプルを置く面と反対の面に、サンプルを識別するためのバーコード等が印刷される。
【０００４】
しかし、上記特許文献１記載のサンプルホルダーは、バーコード等を印刷する基礎シートが紙であるため印刷外観が悪いという問題があり、紙にワックス系インクで印刷した場合は印刷面を擦ると印刷情報が消えてしまい、印刷耐久性が悪いという問題がある。また、肉片サンプル等のような肉汁、血液等の液体成分を含むサンプルの場合、紙である基礎シートにサンプルを置くと基礎シートの反対の面である印刷面に液体成分が含浸し、外観が悪く、かつ印刷情報が読み難くなるという問題がある。また、上記特許文献１記載のサンプルホルダーは、非粘着の基礎シートにサンプルを置くので、サンプルが滑り易く、カバーシートを接着してサンプルを閉じ込めるまで基礎シート上にサンプルを保持することが難しく、サンプリング作業が困難であるという問題がある。
【特許文献１】特表２００３−５０８７７０号公報
【発明の開示】
【発明が解決しようとする課題】
【０００５】
本発明は、トレーサビリティシステムに用いることができるサンプル保管用シート及びサンプル保管方法であって、上記従来の問題点の改善したサンプル保管用シート及びサンプル保管方法の提供を目的とする。
【課題を解決するための手段】
【０００６】
本発明者らは上記目的を達成するために鋭意研究を重ねた結果、以下の構成を採用した。
すなわち、本発明は以下の通りである。
（１）ポリオレフィンを主成分とするシートＡの片面に粘着剤層を形成し、
該粘着剤層の粘着面のサンプル保持領域に剥離ライナーを積層し、
該粘着面の残りの領域にシートＢの端部を固定し、
該シートＢが前記固定した端部を軸とするヒンジ動作で前記剥離ライナー上を開閉自在に被覆するよう構成した、サンプル保管用シート。
（２）シートＡが白色である、上記（１）記載のサンプル保管用シート。
（３）シートＢが透明または半透明である、上記（２）記載のサンプル保管用シート。
（４）シートＡの粘着剤層を形成した面の少なくとも一部の領域が不透明化した、上記（１）記載のサンプル保管用シート。
（５）シートＡが透明または半透明であり、シートＢが不透明である、上記（１）記載のサンプル保管用シート。
（６）シートＡが透明または半透明であり、シートＢの片面または両面の少なくとも一部の領域が不透明化した、上記（１）記載のサンプル保管用シート。
（７）シートＡの粘着剤層を形成した面と反対の面にポリオレフィンを主成分とするインクを用いて印刷した、上記（１）〜（６）のいずれかに記載のサンプル保管用シート。
（８）印刷が熱転写印刷である、上記（７）記載のサンプル保管用シート。
（９）当該サンプル保管用シートが連続的に繋がっており、各隣り合うサンプル保管用シートの間にミシン目線が設けられた、上記（１）〜（８）のいずれかに記載のサンプル保管用シート。
（１０）トレーサビリティシステム用である、上記（１）〜（９）のいずれかに記載のサンプル保管用シート。
（１１）上記（１）〜（１０）のいずれかに記載のサンプル保管用シートの剥離ライナーを剥がして粘着面を露出する工程、
該粘着面上にサンプルを保持する工程、及び、
該サンプル上にシートＢを被覆し、サンプルの周囲の粘着面とシートＢとを貼り合わせることによりサンプルを閉じ込める工程を含む、サンプル保管方法。
【０００７】
本明細書中、シートＡとはポリオレフィンを主成分とするシートを意味し、シートＢとは特に断らない場合には、材質が限定されないシートを意味する。
【発明の効果】
【０００８】
本発明によれば、印刷面の印刷外観及び印刷耐久性に優れ、サンプルに含まれる液体成分の含浸による印刷面の汚染がなく、かつ、サンプリング作業が容易であり、トレーサビリティシステムに好適に用いることができるサンプル保管用シート及びサンプル保管方法を提供することができる。
【発明を実施するための最良の形態】
【０００９】
以下、本発明を図を参照してより詳細に説明する。
図１は本発明のサンプル保管用シートの一例を示す断面図である。
本発明のサンプル保管用シートは、図１に示されるように、ポリオレフィンを主成分とするシートＡ（１）の片面に粘着剤層（２）を形成し、該粘着剤層（２）の粘着面のサンプル保持領域に剥離ライナー（４）を積層し、該粘着面の残りの領域にシートＢ（３）の端部（３ａ）を固定し、該シートＢ（３）が前記固定した端部（３ａ）を軸とするヒンジ動作で前記剥離ライナー（４）上を開閉自在に被覆するよう構成したことを特徴とする。本発明のサンプル保管用シートでは、シートＡがポリオレフィンを主成分とするシートであることから、従来の紙を用いることによる印刷外観及び印刷耐久性が悪いという問題、及びサンプルに含まれる液体成分の含浸により印刷面が汚染するという問題を解消でき、しかも、サンプリング時に粘着面のサンプル保持領域にサンプルを仮着できるので、従来のようにサンプルが閉じ込めるまでに滑り落ちることがなく容易にサンプリング作業を行うことができる。
【００１０】
本発明において、ポリオレフィンを主成分とするシートＡとしては、例えば、ポリエチレンフィルム、ポリプロピレンフィルム、これらの積層フィルム（例えば、ポリエチレンフィルム、接着剤層、ポリプロピレンフィルム、接着剤層、ポリエチレンフィルムをこの順に積層した積層フィルム等）等が挙げられ、後述するポリオレフィンを主成分とするインクの転写性の観点からポリエチレンフィルム、表層がポリエチレンの積層フィルム（例えば、ポリエチレンフィルム、接着剤層、ポリプロピレンフィルム、接着剤層、ポリエチレンフィルムをこの順に積層した積層フィルム等）が好ましい。シートＡの厚みは、通常１０〜５００μｍであり、好ましくは２０〜２００μｍである。原料であるポリオレフィンの粘度平均分子量は、通常５０００〜６００万であり、好ましくは４００万以下である。シートＡは、本発明の効果を阻害しない限り他の添加物、例えば、顔料、補強基材、酸化防止剤、老化防止剤等を含有してもよい。シートＡに含有してもよい添加物の含有量は、ポリオレフィン１００重量部に対して、通常１００重量部以下、好ましくは３０重量部以下である。
【００１１】
本発明において、シートＡは、印刷情報の視認性やバーコードの読み取り性の観点から、白色であることが好ましい。白色であるシートＡは、例えば、白色顔料（例えば、酸化チタン、酸化亜鉛、天然クレー、炭酸マグネシウム等）を含有させて製造することができる。白色顔料の含有量は、ポリオレフィン１００重量部に対して、通常１〜５０重量部、好ましくは５〜３０重量部である。
【００１２】
図２及び図３（ａ）は、シートＡの一部の領域が不透明化した本発明のサンプル保管用シートの一例を示し、図２は平面図、図３（ａ）は断面図（図２のＸ−Ｘ線における断面図）である。
本発明のサンプル保管用シートは、図２及び図３（ａ）に示されるように、シートＡの粘着剤層を形成する面と反対の面（印刷面）の印刷情報の視認性やバーコードの読み取り性の観点から、シートＡの粘着剤層を形成する面の少なくとも一部の領域を不透明化することが好ましい。特に、シートＡが透明または半透明である場合、例えば、シートＡが透明または半透明のポリエチレンフィルム等である場合に不透明化の効果が発揮される。不透明化の方法としては、例えば、シートＡに不透明なインク（例えば、溶剤系インク、ＵＶ硬化型インク等）を用いて、グラビア印刷、スクリーン印刷、フレキソ印刷等により印刷して、図３（ａ）の５ａで示すようなインク層を形成させて不透明化する方法が挙げられる。不透明化のためのインク層の厚みは、通常０．５〜５０μｍ、好ましくは１〜２０μｍである。不透明化する領域は特に限定されないが、図２の点線で示すような窓の領域を除いた、窓枠状の領域を不透明化することが好ましい。シートＡが透明または半透明である場合、シートＡの粘着剤層を形成する面の窓枠状の領域を不透明化することにより、中心の透明または半透明の窓を通して内容物（サンプル）をサンプル保管用シートの表から見ることができ、かつ、その周りの不透明化した窓枠状の領域に対応する印刷面に好適に印刷することができるのである。
【００１３】
本発明において、粘着剤層を形成する粘着剤は、適宜な粘着性物質を用いることができ、例えば、アクリル系粘着剤、天然ゴム系粘着剤、合成ゴム系粘着剤、シリコーン系粘着剤、ビニルエステル系粘着剤、ビニルエーテル系粘着剤等が挙げられ、耐熱性や保存性等の観点から、アクリル系粘着剤が好ましい。粘着剤層の厚みは、通常１〜１００μｍ、好ましくは１０〜５０μｍである。
【００１４】
本発明のサンプル保管用シートは、粘着剤層の粘着面のサンプル保持領域に、サンプリング時まで粘着面を保護するため、剥離ライナーを積層する。剥離ライナーは、使用時に粘着剤層から容易に剥離できるものであれば特に限定されず、例えば、例えばシリコーン樹脂やフッ素樹脂等の塗布によって剥離処理を施した紙や合成樹脂フィルム（例えば、グラシン紙にシリコーン樹脂を塗布したもの、上質紙にポリエチレン層をラミネートし、ポリエチレン層面にシリコーン樹脂を塗布したもの、ポリエチレンテレフタレートフィルムにシリコーン樹脂を塗布したもの等）等が挙げられる。剥離ライナーの厚みは、通常１０〜２００μｍ、好ましくは２０〜１００μｍである。
【００１５】
本発明のサンプル保管用シートは、サンプリング時に上記剥離ライナーを剥がしてサンプル保持領域である粘着面を露出し、該粘着面にサンプルを置いて仮着した後、該サンプル上にシートＢを被覆してサンプルを閉じ込める。このように、本発明のサンプル保管用シートは、サンプル上にシートＢを被覆するまでの間、粘着面上にサンプルを仮着できるので、サンプリング作業が容易となるのである。
【００１６】
本発明において、シートＢは、特に限定されず、例えば、ポリエチレンフィルム、ポリプロピレンフィルム等のポリオレフィンフィルム、これらの積層フィルム（例えば、ポリエチレンフィルム、接着剤層、ポリプロピレンフィルム、接着剤層、ポリエチレンフィルムをこの順に積層した積層フィルム等）、ポリエチレンテレフタレートフィルム、ポリスチレンフィルム等の合成樹脂フィルム、グラシン紙、ろ紙、上質紙等の紙等が挙げられる。シートＢは、サンプルが肉汁、血液等の液体成分を含む場合に、液体成分を吸収できる観点から、グラシン紙、ろ紙、上質紙等の紙等の吸液性フィルムが好ましい。シートＢの厚みは、通常１０〜５００μｍであり、好ましくは２０〜３００μｍである。
【００１７】
本発明において、シートＡ及び／またはシートＢとして多孔質フィルムを用いると、サンプルを閉じ込めたサンプル保管用シートごと、加熱処理（例えば５０〜１００℃、５分〜２４時間）に付すことにより、シート面を通してサンプルに含まれる液体成分中の水分を外に逃がすことができるので有利である。ここでいう、多孔質フィルムとは、フィルムの表面から裏面まで貫通する連通孔を有するフィルムであり、シートＡ、シートＢに用いられる多孔質フィルムの透気度（試験方法：ＪＩＳ−Ｐ−８１１７）は、通常１０〜１００，０００ｓｅｃ／１００ｃｃ、好ましくは５０〜１０，０００ｓｅｃ／１００ｃｃである。シートＡに用いられる多孔質フィルムとしては、例えば、特開昭６３−１７９４１号公報、特開昭６３−２９５６４９号公報等に記載のポリオレフィンを主成分とする多孔質フィルム、市販品（ブレスロン、日東電工（株）社製）等が挙げられる。シートＢに用いられる多孔質フィルムとしては、例えば上記シートＡについて例示したと同様のポリオレフィンを主成分とする多孔質フィルム、グラシン紙、ろ紙、上質紙等の紙等が挙げられる。
【００１８】
本発明のサンプル保管用シートは、（i）シートＡが白色であり、シートＢが透明または半透明であるか、（ii）シートＡが透明または半透明であり、シートＢが不透明であるか、または、（iii）シートＡが透明または半透明であり、シートＢの片面または両面の少なくとも一部の領域を不透明化したものが好ましい。上記（i）〜（iii）のサンプル保管用シートは、サンプル保管用シートに閉じ込めたサンプルを透明または不透明のシートＡまたはシートＢを通して表から見ることができ、かつシートＡの粘着剤層を形成した面と反対面（印刷面）の印刷情報の視認性やバーコードの読み取り性がよい点で有利である。ここに本明細書において「透明または半透明」とは、サンプル保管用シートに閉じ込めたサンプルを表から見ることができる程度に透明または半透明であることをいう。半透明のフィルムとしては、例えば、グラシン紙等が挙げられる。
【００１９】
図３（ｂ）は、シートＢの一部の領域が不透明化した本発明のサンプル保管シートの一例を示す断面図であり、その平面視は図２と同じである。
シートＢの不透明化の方法としては、例えば、シートＢに不透明なインクを用いて印刷して、図３（ｂ）の５ｂで示すようなインク層を形成させて不透明化する方法が挙げられる。用いるインク、印刷方法、インク層の厚みは、上記シートＡの不透明化について例示したと同様である。シートＢのいずれの面を不透明化してもよく、また両面を不透明化してもよいが、不透明化のための印刷をした面を保護する意味からは、図３（ｂ）に一例を示すように、シートＢの粘着剤層に対向する面を不透明化するのが好ましい。不透明化する領域は特に限定されないが、図２の点線で示すような窓の領域を除いた、窓枠状の領域を不透明化することが好ましい。シートＡが透明または半透明であり、シートＢの片面または両面の窓枠状の領域を不透明化することにより、中心の透明または半透明の窓を通して内容物（サンプル）をサンプル保管用シートの表から見ることができ、かつ、その周りの不透明化した窓枠状の領域に対応する印刷面に好適に印刷することができるのである。
【００２０】
本発明のサンプル保管用シートは、シートＡの粘着剤層を形成した面と反対の面に好適に印字、バーコード、図柄等の印刷をすることができる。シートＡはポリオレフィンを主成分とするシートであるので、本発明のサンプル保管用シートは、印刷面の印刷外観及び印刷耐久性に優れ、サンプルに含まれる液体成分の含浸による印刷面の汚染がない。印刷に用いるインクは、ポリオレフィンを主成分とするシートＡとの密着性の観点から、ポリオレフィンを主成分とするインクが好ましい。ポリオレフィンを主成分とするインクとしては、ポリエチレンインク、ポリプロピレンインク等が挙げられ、転写性の観点から、ポリエチレンインクが好ましい。本発明において、シートＡがポリエチレンフィルムまたは表層がポリエチレンの積層フィルムであって、印刷に用いるインクがポリエチレンインクであるのが、転写性、密着性、印刷の耐久性等の観点から、特に好ましい。
【００２１】
ポリオレフィンを主成分とするインクは、ポリオレフィンと１種又は２種以上の着色剤とを含有する。原料であるポリオレフィンの粘度平均分子量は、通常５０００〜３０万であり、好ましくは２０万以下である。着色剤としては、例えば有機系又は無機系の顔料、カーボン、金属粉末等の適宜なものを用いることができる。着色剤の含有量は、ポリオレフィン１００重量部に対して、通常５０〜５００重量部、好ましくは１００〜３００重量部である。インクは、本発明の効果を阻害しない限り他の添加物、例えば溶媒、紫外線吸収剤、分散剤、界面活性剤等を含有していてもよい。
【００２２】
ポリオレフィンを主成分とするインクは、自体公知の方法で製造することができるが、例えば、１種又は２種以上の着色剤とポリオレフィンをロールミル等の適宜な混練機にて加熱混合するか、必要に応じてポリオレフィン溶解性の溶媒を用いて例えばロールミルやポットミル等の適宜な混練機で混合してペースト状等の流動物として製造することができる。
【００２３】
本発明のサンプル保管用シートの、シートＡの粘着剤層を形成した面と反対の面の印刷は、例えば、熱転写印刷、グラビア印刷、凸版印刷、スクリーン印刷、ドットインパクト等が挙げられ、サンプリング現場等での現場発行が可能で、ポリオレフィン同士の強固な熱融着により印刷の耐久性が得られることから、熱転写印刷が好ましい。
【００２４】
本発明のサンプル保管用シートは、例えば、粘着剤層に用いる高分子化合物を含有する溶液をシートＡの片面に塗布し、乾燥して粘着剤層を形成した後、粘着剤層の粘着面のサンプル保持領域に剥離ライナーを積層し、粘着剤層の粘着面の残りの領域にシートＢの端部を固定して製造することができる。
【００２５】
本発明は、また、図４に構成の一例を示すように、本発明のサンプル保管用シートが連続的に繋がっており、各隣り合うサンプル保管用シートの間にミシン目線（６）が設けられた、サンプル保管用シートに関する。ミシン目線が設けられているため、使用時に、各隣り合うサンプル保管用シートをミシン目線の部分で指先等で容易に分離することができる。分離を容易にするため、ミシン目線は、サンプル保管用シートを貫通して設けられることが好ましい。また、分離を容易にするため、ミシン目線の端部に、図４のＹで示すような、切り込みを設けてもよい。
【００２６】
本発明のサンプル保管用シートの外形は特に限定されず、例えば、方形（正方形又は長方形）等が挙げられる。本発明のサンプル保管用シートのサイズは、サンプルを閉じ込めることができ、また、表面に印刷するのに適したサイズであれば特に限定されないが、例えば一辺が２０〜２００ｍｍ、好ましくは一辺が４０〜１００ｍｍのサイズが挙げられる。
【００２７】
本発明のサンプル保管用シートに適用するサンプルは、特に限定されず、例えば食品サンプル（例えば牛肉、ブタ肉、鳥肉、加工品、野菜等）、動植物の研究用サンプル等が挙げられる。サンプル保管用シートに閉じ込めたサンプルは、サンプルの分析等の際に、シートを破る等して取り出すことができる。本発明のサンプル保管用シートは、印刷面の印刷外観及び印刷耐久性に優れ、サンプルに含まれる液体成分の含浸による印刷面の汚染がなく、かつ、サンプリング作業が容易であるので、トレーサビリティシステムにおける上記のようなサンプルの保管に好適に用いることができる。
【００２８】
本発明は、また、本発明のサンプル保管用シートを用いたサンプル保管方法に関する。本発明のサンプル保管方法は、本発明のサンプル保管用シートの剥離ライナーを剥がして粘着面を露出する工程、該粘着面上にサンプルを保持する工程、及び、該サンプル上にシートＢを被覆し、サンプルの周囲の粘着面とシートＢとを貼り合わせることによりサンプルを閉じ込める工程を含む。
【実施例】
【００２９】
以下に実施例を挙げて本発明を具体的に説明するが、これらの実施例は本発明を限定するものではない。
実施例１
図１に示すように、粘度平均分子量が約１００万のポリブチルアクリレート１００重量部とイソシアネート系架橋剤２重量部との混合物を、乾燥時の厚みが３０μｍとなるように１００μｍ厚の粘度平均分子量が３０万の低密度ポリエチレンからなる白色フィルム（シートＡ（１））に塗布し、９０℃で１０分乾燥し、粘着剤層（２）を形成させ、得られた粘着剤層（２）の粘着面のサンプル保持領域に、剥離処理した８０μｍ厚のグラシン紙からなる剥離ライナー（４）を積層し、残りの粘着面に７５μｍ厚のポリエチレンテレフタレートフィルム（シートＢ（３））を、剥離ライナー（４）上を開閉自在に被覆するよう配置し、図１の３ａで示す端部を粘着剤層（２）の残りの粘着面に固定して、サンプル保管用シートを製造した。
【００３０】
実施例２
シートＢとして８０μｍ厚の半透明のグラシン紙を用いた以外は、実施例１と同様にして、サンプル保管用シートを製造した。
【００３１】
実施例３
シートＢとして２００μｍ厚のろ紙を用いた以外は、実施例１と同様にして、サンプル保管用シートを製造した。
【００３２】
実施例４
シートＡとして８０μｍ厚の粘度平均分子量２０万の高密度ポリエチレンからなる透明フィルムを用い、シートＢとして１１０μｍ厚の紙（上質紙）を用い、シートＡの粘着剤層を形成する面に、粘着剤層を形成する前に、図３（ａ）の５ａで示すような酸化チタンとＵＶ硬化性樹脂からなるインク層を、フレキソ印刷により、図２の点線で示すような窓の領域を除いた窓枠状の領域に形成させた以外は実施例１と同様にしてサンプル保管用シートを製造した。
【００３３】
実施例５
シートＡとして５０μｍ厚の粘度平均分子量３０万の低密度ポリエチレンからなる透明フィルムを用い、シートＢとして１５０μｍ厚の紙（ろ紙）を用い、シートＢの粘着剤層に対向する面に、シートＢを固定する前に、図３（ｂ）の５ｂで示すような酸化チタンとウレタン系樹脂からなるインク層を、グラビア印刷により、図２の点線で示すような窓の領域を除いた窓枠状の領域に形成させた以外は実施例１と同様にしてサンプル保管用シートを製造した。
【図面の簡単な説明】
【００３４】
【図１】図１は、本発明のサンプル保管用シートの一例を示す断面図である。
【図２】図２は、本発明のサンプル保管用シートの一例を示す、シートＢ側から見た平面図である。図中二点鎖線は、シートＢの固定した端部３ａと、シートＢの固定されていない領域との境界線を示す。図中点線はかくれ線であり、図３（ａ）の本発明のサンプル保管用シートのインク層（５ａ）が、シートＡの粘着剤層を形成した面の該点線で示す窓の領域を除いた窓枠状の領域に形成されていることを説明し、また、図３（ｂ）の本発明のサンプル保管用シートのインク層（５ｂ）が、シートＢの粘着剤層と対向する面の該点線で示す窓の領域を除いた窓枠状の領域に形成されていることを説明する。
【図３】図３（ａ）は、シートＡの粘着剤層を形成した面の一部の領域を不透明化した本発明のサンプル保管用シートの一例を示す、図２のＸ−Ｘ線における断面図である。図３（ｂ）は、シートＢの一部の領域を不透明化した本発明のサンプル保管用シートの一例を示す、図２のＸ−Ｘ線における断面図である。
【図４】図４は、本発明のサンプル保管用シートが連続的に繋がっている、本発明のサンプル保管用シートの一例を示す、シートＢ側から見た平面図である。図中二点鎖線は、シートＢの固定した端部（３ａ）と、シートＢの固定されていない領域との境界線を示す。
【符号の説明】
【００３５】
１  シートＡ
２  粘着剤層
３  シートＢ
３ａ  シートＢの固定した端部
４  剥離ライナー
５ａ  インク層
５ｂ  インク層
６  ミシン目線
【図１】
2005189123.tif 000003
【図２】
2005189123.tif 000004
【図３】
2005189123.tif 000005
【図４】
2005189123.tif 000006